(57)【要約】  【課題】  爪面に貼着した後にその爪面の形状に沿ってシートの外形を容易に截断調整することができ、多種多様な爪面形状に随時対応させすることができ、もって、複数の爪面形状に応じた外形バリエーションを事前に用意することが不要となるネイルアートシートを提供すること。  【解決手段】  小片シート１１が粘着層３を介して爪面５１の全体に貼着された後、小片シート１１が貼着されている爪面５１の輪郭に沿って小片シート１１が押圧されると、小片シート１１が支持フィルム６ごと押圧截断される。すると、小片シート１１からは爪面５１の輪郭線からはみ出た余分部分１４が除去されて、小片シート１１の外形が爪面５１の平面形状に合わせられる。この結果、指先５０の爪面５１はそれと合致するサイズの写真構成層５により覆われて、それに現像されるアート画像１２により爪面５１が装飾される。【選択図】        図３
2006167433.tif 000002
【特許請求の範囲】
【請求項１】
指先爪面に貼着して装飾するネイルアートシートにおいて、
人の爪先を用いて押圧截断が可能で且つ伸張性および柔軟性のある薄膜状に形成される支持フィルムと、
その支持フィルムの一面側に積層形成され銀塩方式により写真画像が内部に現像されその写真画像を表面に表示する写真構成層と、
その写真構成層形成面の反対側となる前記支持フィルムにおける他面側に積層形成される粘着層とを備えていることを特徴とするネイルアートシート。
【請求項２】
前記写真構成層および支持フィルムの積層物は薄膜状の写真印画紙であり、
その写真印画紙における前記支持フィルムは、薄膜シート状の紙材で形成される基材と、その基材の両面を被覆するポリエチレン樹脂製の耐水性樹脂被膜層とを備えており、
前記写真印画紙における前記写真構成層は、前記支持フィルムにおける一方の前記耐水性樹脂被膜層の上に積層形成されていることを特徴とする請求項１記載のネイルアートシート。
【請求項３】
前記写真構成層は、その少なくとも一部にカラー写真感光材料層を備えていることを特徴とする請求項１又は２に記載のネイルアートシート。
【請求項４】
前記支持フィルムは、その表面積が指先爪面の表面積より大きな平面サイズを有しており、
前記写真構成層の表面には、指先爪面の表面積以内に収まる平面サイズのアート画像が表示されていることを特徴とする請求項１から３のいずれかに記載のネイルアートシート。
【請求項５】
前記支持フィルムは、その表面積が指先爪面の表面積より大きな平面サイズを有しており、
前記写真構成層の表面には、平面サイズが異なる少なくとも大小３種類のアート画像が平面的に並べて表示されていることを特徴とする請求項１から４のいずれかに記載のネイルアートシート。
【請求項６】
前記写真構成層の表面には、その写真構成層に平面的に２以上並べて表示される前記アート画像同士の間に余白部が設けられていることを特徴とする請求項１から５のいずれかに記載のネイルアートシート。
【請求項７】
前記支持フィルムは、その表面積が指先爪面の表面積より大きな平面サイズを有しており、
前記写真構成層の表面には、所定パターンで繰り返し又は連続する模様が表示されていることを特徴とする請求項１から６のいずれかに記載のネイルアートシート。
【発明の詳細な説明】
【技術分野】
【０００１】
本発明は、指先爪面に貼着し装飾するためのネイルアートシートに関するものである。
【背景技術】
【０００２】
マニキュア用塗料を用いたネイルアートにおいては、手足の指先の爪面に装飾を施す場合、手作業で所望の模様が爪面に描画されている。このため、例えば、水玉模様など比較的簡単な模様であれば不慣れな素人でも自分の爪面にマニキュア用塗料を用いてネイルアートを施すことも可能であるが、複雑な模様を精密に爪面に施すには熟練した専門家の技術が必要となり、これに伴いネイルアートを施すために必要となるコストも増大してしまう。
【０００３】
そこで、近年、爪面に貼って指先を装飾する簡便なネイルアートシートが各種提案されている。例えば、このようなネイルアートシートとしては、下記する特許文献１（実用新案登録第３０７９５８３号公報）記載のネイルアート紙、特許文献２（特開平９−３２２８１８号公報）記載の爪シート、及び、特許文献３（特開２００２−２２５４９６公報）記載の爪装飾用転写シートなどが既に開示されている。
【０００４】
これらのネイルアートシートは、人それぞれ多種多様に異なる爪面の輪郭形状にできる限り適合させるため、想定される爪面形状（例えば、爪の輪郭形状、爪幅、爪長さ、爪生え際（甘皮部分）の湾曲形状など）に応じた複数のバリエーションのネイルアートシートを予め用意するものである。そして、これらのバリエーションの中から使用者の爪面形状に最も近い外形のネイルアートシートが選択されて、その選択されたシートが使用者の爪面に貼着される。
【特許文献１】実用新案登録第３０７９５８３号公報
【特許文献２】特開平９−３２２８１８号公報
【特許文献３】特開２００２−２２５４９６公報
【発明の開示】
【発明が解決しようとする課題】
【０００５】
しかしながら、上記した特許文献１又は３に記載のネイルアートシートは、人ごとに千差万別な爪面形状を僅か数種類のバリエーションに分類して、その分類に対応するネイルアートシートを予め用意するものである。このため、予め用意されている爪面形状のバリエーションの中に使用者の爪面形状に適合したものが存在しない場合には、爪面形状を分類化してネイルアートシートを形成するというこれらの発明自体の意義が無意味となってしまい、その効果も大幅に減殺されてしまうという問題点があった。
【０００６】
また、上記した特許文献２記載のネイルアートシートは、人ごとに千差万別な爪面形状に対応すべく、爪面形状を予め可能な限り細分化した爪パターンの選択表を用いて、使用者の爪面形状に最も近いネイルアートシートを特定するものである。このため、ネイルアートシートの使用者は、自らの爪面形状と選択表中にある爪パターン（爪面形状）とを逐一比較して、自分の爪面形状に最も近い爪パターンを１つ選択する必要があり、その爪パターンが多岐に及ぶ場合には選択作業が極めて煩雑となるという問題点があった。
【０００７】
更に、特許文献１又は２に記載のネイルアートシートでは、予め用意されている外形バリエーションや爪パターンの中に使用者の爪面形状に適合したものが存在しない場合に、使用者の爪面形状に比較的近い外形を有するネイルアートシートをひとまず選択し、その選択されたシートを爪面に貼着する前後いずれかの際に、爪面からはみ出す余分部分を当該シートから切除しなければならない。
【０００８】
ここで、ネイルアートシートを爪面に貼着前に、その爪面形状にネイルアートシートの外形を合わせる場合には、そのネイルアートシートと実際の爪面形状とを繰り返し比較しながら、ネイルアートシートから余分部分を少しずつ切除しなければならない。このため、常にネイルアートシートが小さくなり過ぎないように慎重にサイズ調整をする必要があり、その調整に非常に手間と時間がかかるという問題点があった。
【０００９】
一方、ネイルアートシートを爪面に貼着後に、その爪面形状にネイルアートシートの外形を合わせる場合には、そのネイルアートシートを爪面に貼着させた状態のままで余分部分を綺麗に切除するために刃先が極めて細い特殊なハサミの使用が必要となる。しかも、油断すると爪面に張り付いてしまう粘着面を僅かに爪面から浮かせながらネイルアートシートの余分部分を切除しなければならず、その作業は極めて困難であるという問題点もあった。
【００１０】
上記したこれらの問題点は総じて、人の爪面形状がそれぞれ多種多様であるにも関わらず、それに貼着されるネイルアートシートの外形を画一的に分類して、その分類に応じた複数の外形バリエーションのネイルアートシートを予め用意するようにしていることに起因するものと考えられる。
【００１１】
そこで、本発明は、上述した問題点を解決することができるものであり、爪面に貼着した後にその爪面の形状に沿ってシートの外形を容易に截断調整することができ、多種多様な爪面形状に随時対応させすることができ、もって、複数の爪面形状に応じた外形バリエーションを事前に用意することが不要となるネイルアートシートを提供することを目的としている。
【課題を解決するための手段】
【００１２】
この目的を達成するために請求項１記載のネイルアートシートは、指先爪面に貼着して装飾するためのものであり、人の爪先を用いて押圧截断が可能で且つ伸張性および柔軟性のある薄膜状に形成される支持フィルムと、その支持フィルムの一面側に積層形成され銀塩方式により写真画像が内部に現像されその写真画像を表面に表示する写真構成層と、その写真構成層形成面の反対側となる前記支持フィルムにおける他面側に積層形成される粘着層とを備えている。
【００１３】
請求項１記載のネイルアートシートによれば、支持フィルムは粘着層の形成面側を指先爪面に密着させるように押し当てることにより、その粘着層を介して指先爪面に貼着される。そして、この支持フィルムは、それが貼着されている指先爪面の輪郭に沿って、それとは異なる指の爪先又は爪先相当の尖形状刃先を有する道具により押圧されることで、指先爪面の輪郭線からはみ出た余計な部分が截断されて、爪面形状に合わせられる。すると、指先の爪面形状に合致したサイズの写真構成層により指先爪面が覆われて、その写真構成層に現像される写真画像により爪面が装飾される。
【００１４】
請求項２記載のネイルアートシートは、請求項１記載のネイルアートシートにおいて、前記写真構成層および支持フィルムの積層物は薄膜状の写真印画紙であり、その写真印画紙における前記支持フィルムは、薄膜シート状の紙材で形成される基材と、その基材の両面を被覆するポリエチレン樹脂製の耐水性樹脂被膜層とを備えており、前記写真印画紙における前記写真構成層は、前記支持フィルムにおける一方の前記耐水性樹脂被膜層の上に積層形成されている。よって、支持フィルムは写真構成層の支持体として充分な強度を確保しつつ、爪先による僅かな押圧力で容易に截断される機能を確保できる。
【００１５】
請求項３記載のネイルアートシートは、請求項１又は２に記載のネイルアートシートにおいて、前記写真構成層は、その少なくとも一部にカラー写真感光材料層を備えている。よって、写真構成層にはカラー写真画像を現像させることができ、爪面の装飾効果をより一層高めることができる。
【００１６】
請求項４記載のネイルアートシートは、請求項１から３のいずれかに記載のネイルアートシートにおいて、前記支持フィルムは、その表面積が指先爪面の表面積より大きな平面サイズを有しており、前記写真構成層の表面には、指先爪面の表面積以内に収まる平面サイズのアート画像が表示されている。
【００１７】
この請求項４記載のネイルアートシートによれば、請求項１から３のいずれかに記載のネイルアートシートと同様に作用する上、写真構成層の表面に表示されるアート画像は、指先の爪面表面積以内の平面サイズであるので、支持フィルムが爪面に貼着された場合にアート画像が爪面からはみ出すことがない。よって、支持フィルムから余分部分が切除されることでアート画像が部分的に途切れることもないので、そのようなアート画像の途切れに起因する装飾効果の減殺が防止されもする。
【００１８】
請求項５記載のネイルアートシートは、請求項１から４のいずれかに記載のネイルアートシートにおいて、前記支持フィルムは、その表面積が指先爪面の表面積より大きな平面サイズを有しており、前記写真構成層の表面には、平面サイズが異なる少なくとも大小３種類のアート画像が平面的に並べて表示されている。
【００１９】
この請求項５記載のネイルアートシートによれば、請求項１から４のいずれかに記載のネイルアートシートと同様に作用する上、爪面の表面積に応じた平面サイズのアート画像を、少なくとも大小３種類の平面サイズの中から選択することができる。よって、例えば、小指の爪面には最も小さい平面サイズのアート画像を、人差し指、中指及び薬指には中位の平面サイズのアート画像を、親指には最も大きい平面サイズのアート画像を、それぞれ施すことができる。
【００２０】
請求項６記載のネイルアートシートは、請求項１から５のいずれかに記載のネイルアートシートにおいて、前記写真構成層の表面には、その写真構成層に平面的に２以上並べて表示される前記アート画像同士の間に余白部が設けられている。
【００２１】
この請求項６記載のネイルアートシートによれば、請求項１から５のいずれかに記載のネイルアートシートと同様に作用する上、２以上のアート画像の中から必要なものを切り抜いて使用するような場合に、かかる余白部で各アート画像を切断して切り離せば、各アート画像が損傷されずに切り取られる。
【００２２】
請求項７記載のネイルアートシートは、請求項１から６のいずれかに記載のネイルアートシートにおいて、前記支持フィルムは、その表面積が指先爪面の表面積より大きな平面サイズを有しており、前記写真構成層の表面には、所定パターンで繰り返し又は連続する模様が表示されている。
【００２３】
この請求項７記載のネイルアートシートによれば、請求項１から６のいずれかに記載のネイルアートシートと同様に作用する上、支持フィルムから必要な平面サイズ分だけを順次切り取ることができ、残材を可能な限り低減して、ネイルアートシートを無駄なく使用することができる。しかも、かかる支持フィルムに積層される写真構成層に現像されるのは、所定パターンで繰り返し又は連続する模様であるので、例えば複数本の指先爪面に同一パターンの模様をアート画像を施す場合に極めて利便である。
【発明の効果】
【００２４】
本発明のネイルアートシートによれば、その支持フィルムを指先爪面に貼着した後でも、その貼着された爪面形状に沿って別の指の爪先で押圧截断することで、その外形サイズを容易に爪面形状に合うように調整できるので、多種多様な爪面形状に応じた複数バリエーションのネイルアートシートを予め用意することが不要となるという効果がある。しかも、支持フィルムを爪面に貼着する以前に、予め支持フィルムの平面サイズを爪面表面積に合わせて微調整する必要もなく、尚かつ、支持フィルムを爪面に貼着した後に、支持フィルムの粘着面を無理に浮かせながら特殊なハサミを用いて切除する必要もないという効果がある。
【００２５】
また、支持フィルムは人の爪先により押圧截断可能な薄膜状に形成されるので、指先爪面に貼着した後に指先に与える違和感を大幅に軽減することができるという効果がある。更に、爪面を装飾する写真画像は銀塩方式により写真構成層の内部に現像されるので、マニキュア用塗料を用いた場合のように多重積層させてアート画像を描画する必要もなく、尚かつ、精密なアート画像を爪面に創出できるという効果がある。
【００２６】
また、支持フィルムには伸縮性および柔軟性もあるので、この支持フィルムに僅かに張力を加えながら爪面に貼り付けることで湾曲した爪面にも皺を付けずに貼着できるという効果がある。更に、写真構成層は、その内部に銀塩方式により写真画像を現像するものであるので、自然で滑らかな階調表現を有する画像で爪面を装飾することができるという効果がある。
【発明を実施するための最良の形態】
【００２７】
以下、本発明の好ましい実施例について、添付図面を参照して説明する。本実施例のネイルシート１は、図３に示すように、主として人の手足の指先５０の爪面５１に貼着されて、その爪面５１を装飾するためのものである。
【００２８】
図１は、本発明の一実施例であるネイルシート１の断面構造を示す概略縦断面図であり、図中では粘着層３から離型紙４を僅かに剥がした状態を図示している。図１に示すように、ネイルシート１は、複数の薄膜層から構成される積層物であって、主として、表面側（図１上側）に写真構成層５を有する写真印画紙２と、その写真印画紙２の裏面側（図１下側）に積層形成される粘着層３とを備えており、その粘着層３にはそれの粘着表面を保護する離型紙４が貼付されている。
【００２９】
このネイルシート１に使用される写真印画紙２は薄膜状のカラー写真印画紙であり、写真構成層５と、支持フィルム６との薄膜状の積層物である。写真印画紙２の支持フィルム６は、人の爪先５２を用いて押圧截断が可能で且つ伸張性および柔軟性のある薄膜状に形成されており（図４（ａ）参照）、例えば、フジカラーペーパー（CLP EB2 ABR 10.2cm×90m（富士写真フィルム社製））を使用した場合に、その押圧截断性、伸張性および柔軟性が良好であった。なお、上記例示した写真印画紙２によれば、その厚みが略３５μｍ〜５０μｍの範囲である場合に必要な強度および適当な押圧截断性が得られた。
【００３０】
また、写真印画紙２の支持フィルム６は、薄膜シート状の紙材で形成される基材７と、その基材７の両面を被覆するポリエチレン樹脂製の耐水性樹脂被覆層８，９とが積層された積層物である。この支持フィルム６の基材７に用いられる紙材としては、通常の天然パルプを主成分とする天然パルプ紙（以下、単に「原紙」という。）を使用するのが好適である。
【００３１】
更に、支持フィルム６の耐水性樹脂被覆層８，９は、通常、略２４０〜３４０℃で溶融押出ができる樹脂の中から適宜選択されたものにより形成されており、例えば、低密度ポリエチレン樹脂（ＬＤＰＥ）、高密度ポリエチレン（ＨＤＰＥ）、又は、線状低密度ポリエチレン（ＬＬＤＰＥ）等のポリエチレン樹脂のいずれかが単独で若しくはこれらが混合された状態で、又は、これらが積層された状態で、用いられる。
【００３２】
なお、写真構成層５の積層形成側（図１上側）にある耐水性樹脂被覆層８には、写真構成層５に現像される写真画像の画質を向上させるため、二酸化チタン等の無機顔料、ブルーイング剤、蛍光増白剤等を含有させても良い。また、基材７との接着性を向上させるため、耐水性樹脂被覆層８，９には粘着性付与剤樹脂や接着性樹脂等を含有させても良い。
【００３３】
写真構成層５は、支持フィルム６の一面側（図１上側）にある耐水性樹脂被覆層８の上に積層形成されている。この写真構成層５は、その少なくとも一部に銀塩方式によりカラー写真画像が現像されるカラー写真感光材料層（図示せず）を備えており、このカラー写真感光材料層の内部に現像された写真画像を自らの表面に表示させるものである。また、カラー写真感光材料層は、レーザ光による走査露光（レーザ走査露光方式）によって感光して内部に潜像を形成し、その潜像に所定の発色現像処理を施すことによりカラー写真画像を現像させるものである。
【００３４】
具体的に、写真構成層５は、例えば、塩化銀、臭化銀、塩臭化銀、沃臭化銀、塩沃臭化銀等のハロゲン化銀写真乳剤層であってレーザ走査露光方式による発色特性に適したものであり、カラー写真感光材料層は、上記したハロゲン化銀写真乳剤層にカラーカプラーを含有させたハロゲン化銀写真乳剤層を多層状に積層させたカラー写真用の感光材料層である。
【００３５】
よって、このネイルシート１によれば、例えば、動物、植物、人物、風景、絵画、イラスト、又はキャラクターなど好みに応じた多種多様な画像又は映像を、各種カメラにより撮影したり或いはスキャナーなどにより読み取って、それらを写真構成層５にアート画像１２として現像させることができ、その結果、自らの好みに応じた写真画像を用いて爪面５１を手軽に装飾することが実現できる。
【００３６】
粘着層３は、写真構成層５形成面の反対側となる支持フィルム６における他面側（図１下側）に積層形成されており、例えば、ビニル−アクリル樹脂系の共重合体などを含有する粘着性樹脂で形成されている。この粘着層３には離型紙４が剥離可能に貼着されており、ネイルシート１を爪面５１に貼着する場合には、かかる離型紙４が粘着層３表面から剥離されて、その粘着層３が爪面５１に当着される。
【００３７】
図２は、上記したネイルシート１を使用した大判状のネイルシート（以下「大判シート」という。）１０と、その大判シート１０から切り取られた１ピース分の小片状のネイルシート（以下「小片シート」という。）１１とを図示した平面図である。また、図２中に示す２点鎖線は、小片シート１１が切り取られる以前における大判シート１０の外形線を示している。
【００３８】
図２に示すように、大判シート１０は、小片シート１１が切り取られる以前の状態で、平面視略長方形状に形成されている。この大判シート１０は、上記したネイルシート１を使用するものであるので、当然のことながら、その支持フィルム６の表面全体に写真構成層５が形成され、その支持フィルム６の裏面全体に粘着層３が形成され、その粘着層３全体が離型紙４により被覆されている。つまり、大判シート１０及び小片シート１１はいずれもがネイルシート１の一態様である。
【００３９】
この大判シート１０における写真構成層５の表面には、複数個（例えば２０個）のアート画像１２が平面的に並べられて現像されており、これらのアート画像１２は大小３種類の平面サイズを有している。具体的には、平面サイズが異なるアート画像１２同士はいずれも相似形の関係にあり、大きな平面サイズのものが合計４個、中位の平面サイズのものが合計１２個、小さな平面サイズのものが合計４個、写真構成層５には表示されている。
【００４０】
かかる場合、合計２０個のアート画像１２のうち、４個の大きな平面サイズのものが四肢の各親指を、１２個の中位の平面サイズのものが四肢の各人差し指、各中指及び各薬指を、そして、４個の小さな平面サイズのものが四肢の各小指を、それぞれ装飾するための装飾模様として利用することができる。
【００４１】
また、大判シート１０の支持フィルム６は、その表面積が爪面５１の表面積より大きな平面サイズを有しており、また、写真構成層５に現像される１個のアート画像１２は、爪面５１の表面積以内に収まる平面サイズとされている（図３参照）。しかも、写真構成層５の表面には、各アート画像１２同士の間に余白部１３が設けられており、大判シート１０から１枚の小片シート１１が切り取られた場合に、その小片シート１１の平面サイズが爪面５１の表面積より大きくなるように形成されている。
【００４２】
なお、本実施例ではアート画像１２の背景となる余白部１３は有色となるように現像されているが、この余白部の色は必ずしも有色に限定されるものではなく無色透明であっても良い。
【００４３】
次に、図２から図５を参照して、上記のように構成されたネイルシート１の使用方法について説明する。ここに、図３は、ネイルシート１の一形態である小片シート１１の貼着手順を示す図であり、図４は、爪面５１に貼着された小片シート１１の押圧截断状態を示す図であり、図５は、小片シート１１の貼着後の状態を示す図である。なお、図３（ａ）に示す２点鎖線は、小片シート１１を指先５０の爪面５１の上に重ね合わせた状態を仮想図示したものである。
【００４４】
まず、小片シート１１を爪面５１に貼着する場合、それに先だって、小片シート１１の貼着先となる爪面５１の表面積以内に収まる平面サイズのアート画像１２が大判シート１０の中から選択され、その選択されたアート画像１２の周囲に設けられる余白部１３がハサミやカッターナイフにより切断されて、１ピース分の小片シート１１が大判シート１０から切り取られる。この小片シート１１の切り取りの際、小片シート１１が貼着先の爪面５１の表面積より大きくなるように余白部１３の大きさを調節する（図３（ａ）参照）。
【００４５】
小片シート１１の切り取り後は、小片シート１１の粘着層３から離型紙４が剥がされる。その後、図３（ａ）に示すように、小片シート１１の粘着層３形成面が爪面５１に対向させられ、粘着層３が爪面５１に密着させるように押し当てられる（図４参照）。すると、図３（ｂ）に示すように、小片シート１１が粘着層３を介して爪面５１の全体に貼着される。なお、小片シート１１の貼着の際にできる表面の皺は、小片シート１１を僅かに引張りながら支持フィルム６を伸張させるように貼り付けることで除去される。
【００４６】
その後は、小片シート１１が貼着されている爪面５１の輪郭に沿って、その小片シート１１を押圧する。このとき、図４（ａ）に示すように、小片シート１１の貼着先である指先５０とは異なる指の爪先５２で小片シート１１を押圧しながら、その爪先５２を貼着先の爪面５１の輪郭線Ｃに沿って滑り動かすか又は擦り動かすだけでも、小片シート１１は支持フィルム６ごと押圧截断される。
【００４７】
なお、図４（ｂ）に示すように、小片シート１１の貼着先である爪面５１の輪郭に沿って小片シート１１を押圧する場合に、爪先５２の先端に相当する尖形状の刃先６１を有する道具６０を使用しても良い。
【００４８】
上記した押圧截断によって、図３（ｃ）に示すように、小片シート１１からは爪面５１の輪郭からはみ出た余分部分１４が截断分離されると、その余分部分１４が小片シート１ｂから除去されて、図３（ｄ）に示すように、小片シート１１の外形が爪面５１の平面形状に合わせられる。すると、指先５０の爪面５１がそれと合致するサイズの写真構成層５により覆われて、その写真構成層５に現像されるアート画像１２により爪面５１が装飾されるのである。
【００４９】
その後、図５に示すように、小片シート１１の写真構成層５の表面に透明なトップコート用塗料が塗布されて、トップコート層１５が形成されると、そのトップコート層１５越しに写真構成層５に現像されているアート画像１２が爪面５１表面に表示されるのである。また、このトップコート層１５により被覆されることで、ネイルアートシート１の損傷も防止されるのである。
【００５０】
次に、図６を参照して、上記実施例の変形例について説明する。図６は、第２実施例の大判シート２０と、その大判シート２０から切り取られた１ピース分の小片シート２１とを図示した平面図である。なお、図６中に示す２点鎖線は、小片シート２１が切り取られる以前における大判シート２０の外形線を示している。
【００５１】
第２実施例の大判シート２０及び小片シート２１は、上記した第１実施例の大判シート１０及び小片シート１１に対して、その写真構成層に現像される模様の形態を変更したものである。以下、第１実施例と同一の部分には同一の符号を付して、その説明を省略し、異なる部分のみを説明する。
【００５２】
図６に示すように、大判シート２０における写真構成層５の表面には、所定パターンで繰り返し又は連続する模様２２が現像されている。また、大判シート２０の表面積は爪面５１の表面積より大きな平面サイズを有しており、この大判シート２０から１枚の小片シート２１が切り取られた場合に、その小片シート２１の平面サイズが爪面５１の表面積より大きくなるようにされる。
【００５３】
この第２実施例の大判シート２０によれば、必要な平面サイズの小片シート２１だけを順次切り取ることができ、廃棄される残材を可能な限り低減して無駄なく使用することができる。しかも、写真構成層５に現像されるのは、所定パターンで繰り返し又は連続する模様２２であるので、例えば複数本の爪面５１に同一パターンの模様をアート画像１２を施す場合に極めて利便である。
【００５４】
以上、実施例に基づき本発明を説明したが、本発明は上記実施例に何ら限定されるものではなく、本発明の趣旨を逸脱しない範囲内で種々の改良変形が可能であることは容易に推察できるものである。
【００５５】
まず、本実施例では、支持フィルム６の基材７に用いられる紙材として天然パルプ紙を例に説明したが、かかる基材７の材質は必ずしもこれに限定されるものではなく、例えば、その他にも天然パルプと合成繊維とからなる成る混抄紙、合成繊維を主成分とする合成繊維紙、又は、ポリスチレンやポリプロピレンなどの合成樹脂フィルムを擬紙化したいわゆる合成紙のいずれかを用いても良い。
【００５６】
また、本実施例では、ハロゲン化銀写真乳剤層にカラーカプラーを含有させた多層ハロゲン化銀カラー写真構成層５を写真構成層の一部に設けるものとして説明したが、これに代えて、例えば、物理現象核を含有させた銀塩拡散転写受像層を用いるようにしても良い。しかも、写真構成層５は必ずしもカラー写真画像を現像するものに限定されるものではなく、例えば、白黒写真感光材料層を用いても良い。
【００５７】
更に、本実施例では、写真構成層５に設けられるカラー写真感光材料層がレーザ走査露光方式に適したものであると説明したが、カラー写真感光材料層に用いられる露光方式は必ずしもこれに限定されるものではなく、いわゆるアナログ露光方式、又は、ＬＥＤ露光方式や液晶露光方式等の他のデジタル露光方式などが適用可能なものであっても良い。
【図面の簡単な説明】
【００５８】
【図１】本発明の一実施例であるネイルシートの断面構造を示す概略縦断面図である。
【図２】ネイルシートを使用した大判シートと、それから切り取られた１ピース分の小片シートとを図示した平面図である。
【図３】ネイルシートの一形態である小片シートの貼着手順を示す図である。
【図４】爪面に貼着された小片シートの押圧截断状態を示す図である。
【図５】小片シートの貼着後の状態を示す図である。
【図６】第２実施例の大判シート２０と、それから切り取られた１ピース分の小片シート２１とを図示した平面図である。
【符号の説明】
【００５９】
１                  ネイルシート（ネイルアートシート）
２                  写真印画紙
３                  粘着層
５                  写真構成層
６                  支持フィルム
７                  基材
８，９              耐水性樹脂被覆層
１０，２０          大判シート（ネイルアートシート）
１１，２１          小片シート（ネイルアートシート）
１２                アート画像
１３                余白部
２２                所定パターンで繰り返し又は連続する模様
５０                指先
５１                爪面
５２                爪先
６０                道具
６１                刃先（指の爪先又は爪先相当の尖形状刃先）
【図１】
2006167433.tif 000003
【図２】
2006167433.tif 000004
【図３】
2006167433.tif 000005
【図４】
2006167433.tif 000006
【図５】
2006167433.tif 000007
【図６】
2006167433.tif 000008